(57)【特許請求の範囲】
【請求項１】
床下に所定間隔を開けて大引きを配列し、前記大引きの上に、前記大引きの配列方向と直角に根太を所定間隔を開けて配列した床構造の前記の１つの根太とこれに隣接する他の根太との間に設置される建築用断熱材において、
上記建築用断熱材を上記両方の根太に沿って設置される２つの側部断熱部材と、前記２つの側部断熱部材の間に介在される中間断熱部材との組合せにより構成され、
上記側部断熱部材は、矩形板状の本体部分、その本体部分の一方の側面の下面側に設けた側面突出部、及びその本体部分の両端面の上面側に設けた端面突出部からなり、上記側面突出部は、上記本体部分の長手方向全長にわたって形成され、上記端面突出部は、上記本体部分の端面の全幅にわたって形成され、上記本体部分の側面突出部を有さない他方の側面は、上記中間断熱部材を嵌入する中間断熱部材嵌入側面を形成し、
上記中間断熱部材は、矩形板状の本体部分と、その本体部分の両端面の上面側に設けた端面突出部からなり、上記端面突出部は、上記本体部分の端面の全幅にわたって形成され、
上記２つの側部断熱部材の本体部分と中間断熱部材の本体部分の長手方向の長さは、それぞれ上記１つの大引きとこれに隣接する他の大引きとの間隔の大きさを有し、
上記２つの側部断熱部材の本体部分と中間断熱部材の本体部分の各幅の合計は、上記根太とこれに隣接する他の根太との間隔の大きさを有し、
上記側部断熱部材の端面突出部及び中間断熱部材の端面突出部は、それぞれ大引きの横幅の半分の突出長さを有し、上記側部断熱部材の側面突出部は、根太の横幅の半分の突出長さを有し、
上記中間断熱部材の上面に上面溝を、下面に下面溝を、それぞれ溝位置を変えて所定本数、長手方向全長にわたり形成し、
上記上面溝及び下面溝の深さの合計を、上記中間断熱部材の厚さ以上に設定した建築用断熱材。
【請求項２】
上記２つの側部断熱部材の上面及び下面に防護フィルムを積層してなる請求項１に記載の建築用断熱材。
【請求項３】
上記の２つの側部断熱部材の各下面同士を連結フィルムで連結した請求項１に記載の建築用断熱材。
【請求項４】
床下に所定間隔を開けて大引きを配列し、前記大引きの上に、前記大引きの配列方向と直角に根太を所定間隔を開けて配列した床構造の前記の１つの根太とこれに隣接する他の根太との間に設置される建築用断熱材において、
上記建築用断熱材は、矩形板状の本体部分、その本体部分の両側面の下面側に設けた側面突出部、及びその本体部分の両端面の上面側に設けた端面突出部からなり、上記側面突出部は、上記本体部分の長手方向全長にわたって形成され、上記端面突出部は、上記本体部分の端面の全幅にわたって形成され、
上記本体部分の長手方向の長さは、上記１つの大引きとこれに隣接する他の大引きとの間隔の大きさを有し、
上記本体部分の端面の幅は、上記根太とこれに隣接する他の根太との間隔の大きさを有し、
上記側面突出部は、根太の横幅の半分の突出長さを有し、上記端面突出部は、大引きの横幅の半分の突出長さを有し、
上記本体部分の上面に上面溝を、下面に下面溝を所定本数、長手方向全長にわたり形成し、
上記上面溝は、上記本体部分の厚さの半分以上の深さを有し、上記下面溝の溝幅は、下面から溝底に向かって狭くなっており、上記上面溝の溝底と下面溝の溝底とが対向し、この両溝底間に連結部を設けてなる建築用断熱材。
【請求項５】
床下に所定間隔を開けて大引きを配列し、前記大引きの上に、前記大引きの配列方向と直角に根太を所定間隔を開けて配列した床構造の前記の１つの根太とこれに隣接する他の根太との間に設置される建築用断熱材において、
上記建築用断熱材は、矩形板状の本体部分、その本体部分の両側面の下面側に設けた側面突出部、及びその本体部分の両端面の上面側に設けた端面突出部からなり、上記側面突出部は、上記本体部分の長手方向全長にわたって形成され、上記端面突出部は、上記本体部分の端面の全幅にわたって形成され、
上記本体部分の長手方向の長さは、上記大引きとこれに隣接する他の大引きとの間隔の大きさを有し、
上記本体部分の端面の幅は、上記１つの根太とこれに隣接する他の根太との間隔の大きさを有し、
上記側面突出部は、根太の横幅の半分の突出長さを有し、上記端面突出部は、大引きの横幅の半分の突出長さを有し、
上記本体部分の中央部付近の上面に上面溝を、下面に下面溝をそれぞれ溝位置を変えて、上記板状断熱部の厚さの半分以上の深さを有する所定本数、長手方向全長にわたり形成し、
上記上面溝及び下面溝を形成することにより、上面溝及び下面溝の溝底部分相互間に屈曲自在の連結部を設けてなる建築用断熱材。
【請求項６】
上記本体部分の上面側側縁部に、その上面から下面に向かって外向きの傾斜部を形成する請求項４又は５に記載の建築用断熱材。
【請求項７】
上記本体部分の両側面であって上記側面突出部付近の所定の位置から上記本体部分の中央部に寄った上面近くの位置にわたって、切り込みが長手方向全長にわたって形成される請求項４又は５に記載の建築用断熱材。
【発明の詳細な説明】
【０００１】
【発明の属する技術分野】
この発明は、木造住宅に用いられる建築用断熱材に関し、詳しくは、床下、壁や屋根等に用いられる板状の建築用断熱材に関する。
【０００２】
【従来の技術】
床下に用いられる板状の建築用断熱材６１は、図１４に示すように、家の床下の支柱間に所定間隔を開けて大引き６２を配列し、この大引き６２の上に前記大引き６２の配列方向と直角に根太６３を所定間隔を開けて配列した床構造の、前記１つの根太６３とこれに隣接する根太６３との間に設置される。
【０００３】
上記根太６３の太さ及び根太６３と隣り合う根太６３の距離は、建築基準で規定されており、根太６３と隣り合う根太６３の間に配される上記断熱材６１は建築基準等で定められた所定の大きさのものが前もって準備される。
【０００４】
また、この板状の断熱材６１は、図１４に示すように、一方の面の幅方向の中央部分に、この上記断熱材６１の厚さの半分以上の深さを有する切り込み６４が長手方向全長にわたり設けられている。根太６３の間に上記断熱材６１を挿入する場合、上記切り込み６４の部分で折り曲げて上記断熱材６１を山状にし、この状態で根太６３の間に入れ、上記断熱材６１を水平に押し戻すことにより根太６３の間に上記断熱材６１を挿入することができる。
【０００５】
この断熱材６１の最大厚みは、根太６３の高さとなる。したがって、一般的に根太の高さは４０〜４５ｍｍであることから、断熱材６１の最大厚みは４０〜４５ｍｍとなる。
【０００６】
【発明が解決しようとする課題】
しかしながら、寒冷地域の建築基準においては、断熱効果をあげるため、断熱材の厚みとして６０〜７５ｍｍ程度要求される。このため、上記のように大引き６２上に断熱材６１を乗せるだけでは、基準の厚みを確保することができない。
【０００７】
このため、上記床構造の下面側から、大引き６２間に断熱材を入れることにより、この断熱材の厚みと上記床構造の上面側に設置した断熱材の厚みとを合わせて、目的の厚みを確保することが行われる。
【０００８】
しかし、この方法は、上記床構造の下面側から挿入した断熱材の脱落を防止するため、上記床構造の下面側の大引き６２間に板を張る必要がある。
【０００９】
また、上記断熱材６１のうち、大引き６２間及び根太６３間に形成される空間部に位置する部分のみの厚みを目的の厚みとすることも考えられる。しかし、この場合は、根太６３の下部には断熱材が配置されないため、建築基準に完全に適合しておらず、この部分で断熱効果の低下が生じる。
【００１０】
そこで、この発明の課題は、床構造の下面側の大引き間に板を張る手間を省略することにより、現場においての作業を容易にすると共に、根太の下部にも断熱材を配置することにより、断熱材を床に一様に配置し、断熱効果の低下を防止することである。
【００１１】
【課題を解決するための手段】
上記の課題を解決するため、この建築用断熱材にかかる第１の発明は、床下に所定間隔を開けて大引きを配列し、前記大引きの上に、前記大引きの配列方向と直角に根太を所定間隔を開けて配列した床構造の前記の１つの根太とこれに隣接する他の根太との間に設置される建築用断熱材において、上記建築用断熱材を上記両方の根太に沿って設置される２つの側部断熱部材と、前記２つの側部断熱部材の間に介在される中間断熱部材との組合せにより構成され、上記側部断熱部材は、矩形板状の本体部分、その本体部分の一方の側面の下面側に設けた側面突出部、及びその本体部分の両端面の上面側に設けた端面突出部からなり、上記側面突出部は、上記本体部分の長手方向全長にわたって形成され、上記端面突出部は、上記本体部分の端面の全幅にわたって形成され、上記本体部分の側面突出部を有さない他方の側面は、上記中間断熱部材を嵌入する中間断熱部材嵌入側面を形成し、上記中間断熱部材は、矩形板状の本体部分と、その本体部分の両端面の上面側に設けた端面突出部からなり、上記端面突出部は、上記本体部分の端面の全幅にわたって形成され、上記２つの側部断熱部材の本体部分と中間断熱部材の本体部分の長手方向の長さは、それぞれ上記１つの大引きとこれに隣接する他の大引きとの間隔の大きさを有し、上記２つの側部断熱部材の本体部分と中間断熱部材の本体部分の各幅の合計は、上記根太とこれに隣接する他の根太との間隔の大きさを有し、上記側部断熱部材の端面突出部及び中間断熱部材の端面突出部は、それぞれ大引きの横幅の半分の突出長さを有し、上記側部断熱部材の側面突出部は、根太の横幅の半分の突出長さを有し、上記中間断熱部材の上面に上面溝を、下面に下面溝を、それぞれ溝位置を変えて所定本数、長手方向全長にわたり形成し、上記上面溝及び下面溝の深さの合計を、上記中間断熱部材の厚さ以上に設定したものである。
【００１２】
また、上記２つの側部断熱部材の上面及び下面に防護フィルムを積層することができる。
【００１３】
さらに、上記の２つの側部断熱部材の各下面同士を連結フィルムで連結することができる。
【００１４】
所定の形状を有する２つの側部断熱部材と中間断熱部材の３つの断熱部材から構成されるので、各側部断熱部材の側面突出部を根太の下部に挿入し、端面突出部を大引きの上部にのせ、両側部断熱部材の隙間に中間断熱部を介在させることにより、根太間及び大引き間に形成される空間部のみならず、根太の下部及び大引きの上部にも断熱材を設置できる。
【００１５】
また、２つの側部断熱部材の上面及び下面に防護フィルムを積層すれば、施工後に白蟻駆除剤等を噴霧しても、それらに含まれる有機溶剤により断熱材が溶解するのを防止できる。
【００１６】
さらに、２つの側部断熱部材の各下面同士を連結フィルムで連結すると、独立した断熱部材の個数が２つに減少し、輸送、保管等が簡便になる。
【００１７】
この建築用断熱材にかかる第２の発明は、床下に所定間隔を開けて大引きを配列し、前記大引きの上に、前記大引きの配列方向と直角に根太を所定間隔を開けて配列した床構造の前記の１つの根太とこれに隣接する他の根太との間に設置される建築用断熱材において、上記建築用断熱材は、矩形板状の本体部分、その本体部分の両側面の下面側に設けた側面突出部、及びその本体部分の両端面の上面側に設けた端面突出部からなり、上記側面突出部は、上記本体部分の長手方向全長にわたって形成され、上記端面突出部は、上記本体部分の端面の全幅にわたって形成され、上記本体部分の長手方向の長さは、上記１つの大引きとこれに隣接する他の大引きとの間隔の大きさを有し、上記本体部分の端面の幅は、上記根太とこれに隣接する他の根太との間隔の大きさを有し、上記側面突出部は、根太の横幅の半分の突出長さを有し、上記端面突出部は、大引きの横幅の半分の突出長さを有し、上記本体部分の上面に上面溝を、下面に下面溝を所定本数、長手方向全長にわたり形成し、上記上面溝は、上記本体部分の厚さの半分以上の深さを有し、上記下面溝の溝幅は、下面から溝底に向かって狭くなっており、上記上面溝の溝底と下面溝の溝底とが対向し、この両溝底間に連結部を設けてなる。
【００１８】
この建築用断熱材にかかる第３の発明は、床下に所定間隔を開けて大引きを配列し、前記大引きの上に、前記大引きの配列方向と直角に根太を所定間隔を開けて配列した床構造の前記の１つの根太とこれに隣接する他の根太との間に設置される建築用断熱材において、上記建築用断熱材は、矩形板状の本体部分、その本体部分の両側面の下面側に設けた側面突出部、及びその本体部分の両端面の上面側に設けた端面突出部からなり、上記側面突出部は、上記本体部分の長手方向全長にわたって形成され、上記端面突出部は、上記本体部分の端面の全幅にわたって形成され、上記本体部分の長手方向の長さは、上記大引きとこれに隣接する他の大引きとの間隔の大きさを有し、上記本体部分の端面の幅は、上記１つの根太とこれに隣接する他の根太との間隔の大きさを有し、上記側面突出部は、根太の横幅の半分の突出長さを有し、上記端面突出部は、大引きの横幅の半分の突出長さを有し、上記本体部分の中央部付近の上面に上面溝を、下面に下面溝をそれぞれ溝位置を変えて、上記板状断熱部の厚さの半分以上の深さを有する所定本数、長手方向全長にわたり形成し、上記上面溝及び下面溝を形成することにより、上面溝及び下面溝の溝底部分相互間に屈曲自在の連結部を設けてなる。
【００１９】
また、上記第２又は第３の発明においては、上記本体部分の上面側側縁部に、その上面から下面に向かって外向きの傾斜部を形成することができる。
【００２０】
さらに、上記本体部分の両側面であって上記側面突出部付近の所定の位置から上記本体部分の中央部に寄った上面近くの位置にわたって、切り込みが長手方向全長にわたって形成することもできる。
【００２１】
これらの第２の発明又は第３の発明は、本体部分に、長手方向全長にわたって所定の溝を設けたので、これらの溝の部分を折り曲げてこの建築用断熱材を山状にすることにより、根太の下部に上記の側面突出部を挿入することができる。
【００２２】
また、これらの発明は、１つの部材より構成されるので、輸送、保管等がより簡便になる。
【００２３】
【発明の実施の形態】
以下、この発明の実施形態を図面を参照して説明する。
【００２４】
この発明にかかる建築用断熱材は、床下に所定間隔を開けて大引きを配列し、前記大引きの上に、前記大引きの配列方向と直角に根太を所定間隔を開けて配列した床構造の前記の１つの根太とこれに隣接する他の根太との間に設置されるものである。
【００２５】
この建築用断熱材にかかる第１の実施形態は、図１に示すように、上記の両方の根太に沿って設置される２つの側部断熱部材１と、２つの側部断熱部材１の間に介在される中間断熱部材２との組合せにより構成される。
【００２６】
側部断熱部材１は、矩形板状の本体部分１１、その本体部分１１の一方の側面の下面側に設けた側面突出部１２、及びその本体部分１１の両端面の上面側に設けた端面突出部１３からなる。側面突出部１２は、本体部分１１の長手方向全長にわたって形成され、また端面突出部１３は、本体部分１１の端面の全幅にわたって形成される。本体部分１１の側面突出部１２を有さない他方の側面は、上記中間断熱部材２を嵌入する中間断熱部材嵌入側面１４を形成する。
【００２７】
中間断熱部材２は、矩形板状の本体部分２１と、その本体部分２１の両端面の上面側に設けた端面突出部２２からなり、端面突出部２２は、本体部分２１の端面の全幅にわたって形成される。
【００２８】
上記２つの側部断熱部材１の本体部分１１と中間断熱部材２の本体部分２１の長手方向の長さは、それぞれ上記１つの大引きとこれに隣接する他の大引きとの間隔の大きさを有する。この大きさは、上記１つの大引きとこれに隣接する他の大引きとの間隔と全く同一の場合のみに限られるものではなく、上記本体部分１１及び２１を上記１つの大引きとこれに隣接する他の大引きとの間に挿入することのでき、かつ、断熱効果を損なわない程度の大きさを含むものである。
【００２９】
上記２つの側部断熱部材１の本体部分１１と中間断熱部材２の本体部分２１の各幅の合計は、上記根太とこれに隣接する他の根太との間隔の大きさを有する。この大きさは、上記１つの根太とこれに隣接する他の根太との間隔と全く同一の場合のみに限られるものではなく、上記本体部分１１及び２１を上記１つの根太とこれに隣接する他の根太との間に挿入することのでき、かつ、断熱効果を損なわない程度の大きさを含むものである。
【００３０】
側部断熱部材１の端面突出部１３及び中間断熱部材２の端面突出部２２は、それぞれ大引きの横幅の半分の突出長さを有し、側部断熱部材１の側面突出部１２は、根太の横幅の半分の突出長さを有する。端面突出部１３、２２の突出長さを大引きの横幅の半分とすることにより、この端面突出部１３、２２の端面と、隣接する他の建築用断熱材の側部断熱部材及び中間断熱部の端面突出部の端面とを突き合わせることができ、大引きの上部に断熱部材を、互いに重なり合わせることなく設置することができる。また、側面突出部１２の突出長さを根太の横幅の半分とすることにより、この側面突出部１２の外側面と、隣接する他の建築用断熱材の側部断熱部材の側面突出部の外側面とを突き合わせることができ、根太の下部に断熱部材を、互いに重なり合わせることなく設置することができる。
【００３１】
側面突出部１２及び端面突出部１３、２２の突出長さは、上記の根太や大引きの横幅の半分と全く同一の場合のみに限られるものではなく、１つの建築用断熱材と他の同様の建築用断熱材を直列又は並列に並べて設置したときに、側面突出部同士や端面突出部同士が重なり合うことなく、かつ、断熱効果を損なわない程度の大きさを含むものである。
【００３２】
中間断熱部材２には、その上面に上面溝２３が、下面に下面溝２４が、それぞれ溝位置を変えて所定本数、長手方向全長にわたり形成される。この上面溝２３と下面溝２４の位置関係は、特に限定できるものではない。例えば、図１に示すように、上面溝２３と下面溝２４とを互い違いに配置することができる。
【００３３】
上面溝２３及び下面溝２４の深さの合計は、中間断熱部材２の厚さ以上に設定される。すなわち、上面溝２３の溝底の位置は、下面溝２４の溝底の位置より下面側に設定される。これにより、根太間の幅が建築基準より狭くなったとき、この両溝２３、２４を圧縮することにより、この建築用断熱材の全幅を調節することができる。さらに、この両溝２３、２４の本数は、任意の本数を設定することができるが、中間断熱部材２の圧縮量、及び中間断熱部材２が必要とする強度を発揮できる本数とすることが好ましい。
【００３４】
この建築用断熱材に用いられる材料としては、断熱効果を有し、多少の収縮性を有するものであればどのようなものでもよいが、発泡プラスチックが好ましく、その例として、発泡ポリスチレン、発泡ポリエチレン、硬質ウレタンフォーム、フェノールフォーム等があげられる。
【００３５】
上記の側部断熱部材１の上面及び下面には、防護フィルムを積層させることができる。この防護フィルムを積層すれば、床下にこの建築用断熱材を設置して家屋を建築した後、白蟻駆除等のために薬剤を噴霧するとき、これに含まれる有機溶剤等によって上記建築用断熱材が溶けだし、断熱効果が低下するのを防止することができる。この防護フィルムとしては特に限定されるものではなく、ポリエチレンフィルム、ポリプロピレンフィルム等の熱可塑性樹脂フィルムを使用することができる。
【００３６】
ところで、上記の建築用断熱材は、２つの側部断熱材１及び中間断熱部の３つの部材から構成される。このため、取扱や保管の面で、不便となる場合がある。これを改善するため、図２に示すように、２つの側部断熱部材１の各下面同士を連結フィルム３で連結してもよい。この連結フィルム３で連結することにより、建築用断熱部材の構成部材が２つとなり、取扱性や保管性が改善される。
【００３７】
連結フィルム３は、屈曲性を有すればその材質には特に限定されることはなく、紙、織布、不織布、ポリエチレンフィルム、ポリプロピレンフィルム等の熱可塑性樹脂フィルム等任意のフィルムを用いることができる。
【００３８】
さらに、この２つの側部断熱部材１と連結フィルム３からなる部材に、上記の防護フィルム４を設けることができる。このとき設けられる防護フィルム４は、連結フィルム３の材質によっては、図３に示すように、側部断熱部材１の上面だけに積層することができ、また、側部断熱部材１の上面、及び側部断熱部材１の下面と連結フィルム３の間に積層させることもできる。
【００３９】
上記の建築用断熱材を根太と大引きからなる上記床構造に設置した状態は、図４及び図５に示すように、根太５の下部及び大引き６の上部に断熱材が配置される。
【００４０】
上記の建築用断熱材を上記床構造に設置する方法は、まず、図４（ａ）の一点鎖線で示すように、２つの側部断熱部材１の側面突出部１２を互いに隣接する２つの根太５の下部に挿入する。このとき、中間断熱部材２がまだ挿入されていないことから、側部断熱部材１の側面突出部１２を根太５の下部に挿入することは可能である。また、この側部断熱部材１は、図５に示すように、端面突出部１３が大引き６上にのるので、側部断熱部材１が下方に脱落することはない。
【００４１】
２つの側部断熱部材１を挿入後、両側部断熱部材１の中間断熱部材嵌入側面１４は互いに向かい合っている。この中間断熱部材嵌入側面１４間に、中間断熱部材２を挿入させることにより、上記建築用断熱材を上記床構造に設置することができる。この中間断熱部材２の側面は、垂直に設けてもよく、また、中間断熱部材２を中間断熱部材嵌入側面１４間に挿入しやすくするため、この上面から下面にかけて内向きに傾斜を設けてもよい。このとき、中間断熱部材嵌入側面１４は、中間断熱部材２の側面と同様の傾斜を有する。
【００４２】
上記床構造の根太５と隣接する根太５との間の距離が、建築基準より短いときは、図４（ａ）に示すように、上面溝２３及び下面溝２４を圧縮することによりその幅に対応することができる。また、上記床構造の根太５と隣接する根太５との間の距離が、建築基準より長く、想定される最大長さにあるときは、中間断熱部４の幅をその想定される最大長さにあわせて設定すれば、図４（ｂ）に示すように、上面溝２３及び下面溝２４を圧縮することなく、その幅に対応することができる。さらに、上記床構造の根太５と隣接する根太５との間の距離が、図４の（ａ）と（ｂ）との間の場合は、上面溝２３及び下面溝２４の圧縮量を調節することにより、その幅に対応することができる。
【００４３】
上記建築用断熱材を上記床構造に設置したとき、側部断熱部材１の側面突出部１２の外側面と、隣接する側部断熱部材１’、１”の側面突出部１２’、１２”の外側面は、互いに突き合うので、図４（ａ）（ｂ）に示すように、根太５の下部に断熱材を配置することができる。また、側部断熱部材１の端面突出部１３の端面と、隣接する側部断熱部材１’、１”の端面突出部１３’、１３”の端面は、互いに突き合うので、図５に示すように、大引き６の上部に断熱材を配置することができる。
【００４４】
図２に示す２つの側部断熱部材１と連結部材３とからなる部材を用いる場合は、連結フィルム３が屈曲性を有することから、図６の一点鎖線に示すように、側部断熱部材１の上面を上向きにして山状にすることができる。この状態で側部断熱部材１の側面突出部１２を根太５の下部に挿入する。挿入後は、上記のように中間断熱部材２を挿入することで、上記建築用断熱材を上記床構造に設置することができる。
【００４５】
この建築用断熱材にかかる第２の実施形態は、図７〜図８に示すように、所定の形状を有する１つの部材から構成される。これは、第１の実施形態の場合の２〜３つの構成部材を使用する場合に比べ、部材の取扱性や保管性がさらに改善される。この建築用断熱材は、上記第１の実施形態の場合と同様に、床構造の１つの根太とこれに隣接する他の根太との間に設置される。
【００４６】
この建築用断熱材３１は、矩形板状の本体部分３２、その本体部分３２の両側面の下面側に設けた側面突出部３３、及びその本体部分３２の両端面の上面側に設けた端面突出部３４からなる。また、側面突出部３３は、本体部分３２の長手方向全長にわたって形成され、端面突出部３４は、本体部分３２の端面の全幅にわたって形成される。
【００４７】
本体部分３２の長手方向の長さは、上記の１つの大引きとこれに隣接する他の大引きとの間隔の大きさを有し、また、本体部分３２の端面の幅は、上記の根太とこれに隣接する他の根太との間隔の大きさを有する。この２つの大きさは、第１の実施形態の場合の大きさの概念と同様の概念である。
【００４８】
側面突出部３３は、上記の根太の横幅の半分の突出長さを有し、上記端面突出部は、大引きの横幅の半分の突出長さを有する。この２つの突出長さは、第１の実施形態の場合の突出長さと同様の概念である。
【００４９】
上記本体部分３２の上面には上面溝３５が、下面には下面溝３６が、所定本数、長手方向全長にわたり形成される。この上面溝３５及び下面溝３６は、本体部分３２に形成されれば特に限定されないが、本体部分３２の中央部付近に設ければ、根太間に挿入するとき、この建築用断熱材の各部分にかかる力が均一となってより好ましい。
【００５０】
この上面溝３５は、本体部分３２の厚さの半分以上の深さを有する。また、下面溝３６の溝幅は、下面から下面溝３６の溝底に向かって狭くなっている。その断面形状としては、図８に示すような三角形状、その他、台形状、三角形や台形の側面が外側に広がった円弧からなる形状等があげられる。
【００５１】
上面溝３５の溝底と下面溝３６の溝底とは、互いに対向する。この両溝底間には、連結部３７が形成され、この部分で本体部分３２を屈曲させることができる。本体部分３２を山状にしたとき、両溝３５、３６、及び連結部３７によって生ずる歪みを分散させることができ、この部分が破断するのを防ぐことができる。
【００５２】
本体部分３２の上面側側縁部には、必要に応じて、その上面から下面に向かって外向きの傾斜部３８を形成してもよい。また、図１０〜１１に示す、本体部分４２の両側面であって側面突出部４３付近の所定の位置から本体部分４２の中央部に寄った上面近くの位置にわたって、長手方向全長にわたり設けた切り込み４７を、図７〜８に示す傾斜部３８のかわりに設けてもよい。傾斜部３８や切り込み４７を設けることによって、本体部分３２の上面側側縁部が根太と衝突して、建築用断熱材３１の側面突出部３３を根太の下部に挿入できなくなるのを防止し、この挿入をより容易にすることができる。
【００５３】
上記の建築用断熱材３１を上記床構造に設置する方法は、まず、図９（ｂ）の一点鎖線で示すように、建築用断熱材３１の上面を上にして山状に配置する。次いで、この山状を平たくなるように押しつけて、本体部分３２の側面突出部３３を根太５の下部に挿入させる。これにより、建築用断熱材３１を上記床構造に設置することができる。建築用断熱材３１の下面溝３６は、溝底より下面溝３６の開口部が広くなっているので、この建築用断熱材３１をより容易に山状にすることができる。
【００５４】
上記床構造の根太５と隣接する根太５との間の距離が、建築基準と同等又は狭いときは、図９（ａ）に示すように、上面溝３５を圧縮することによりその距離に対応することができる。また、上記床構造の根太５と隣接する根太５との間の距離が、建築基準より長く、想定される最大長さにあるときは、この建築用断熱材３１の幅をその想定される最大長さにあわせて設定すれば、上面溝３５を圧縮することなく、その幅に対応することができる。さらに、上記床構造の根太５と隣接する根太５との間の距離が、建築基準よりさらに狭いときは、上面溝３５の圧縮では十分に対応できない場合がある。この場合は、図８や図９に示すように、本体部分３２の上面側側縁部に本体部分側面部材３９を設け、その上面側縁部にその上面から下面に向かって外向きの傾斜部３８を形成してもよい。このようにすれば、本体部分３２と本体部分側面部材３９との間に形成される溝部４０を圧縮することによって対応することが可能となる。
【００５５】
建築用断熱材３１を上記床構造に設置したとき、側面突出部３３の外側面と、隣接する側部断熱部材３１’、３１”の側面突出部３３’、３３”の外側面は、互いに突き合うので、図９（ａ）（ｂ）に示すように、根太５の下部に断熱材を配置することができる。
【００５６】
第２の実施形態において、上記以外の内容、例えば、上面溝３５や下面溝３６の本数、建築用断熱材３１等は、第１の実施形態の場合と同様である。
【００５７】
この建築用断熱材にかかる第３の実施形態は、図１０〜図１１に示すように、第２の実施形態の上面溝や下面溝の形状やその位置等を変更したものであり、それ以外は、第２の実施形態の場合と同様である。
【００５８】
建築用断熱材４１の本体部分４２の上面に本体部分４２の厚さの半分以上の深さを有する上面溝５１が長手方向全長にわたり形成され、また、本体部分４２のの下面に上面溝５１の位置から所要寸法ずらせて、本体部分４２の厚さの半分以上の深さの下面溝５２が長手方向全長にわたり形成される。上記の上面溝５１及び下面溝５２を形成することにより、上面溝５１及び下面溝５２の溝底部分相互間が連結され、屈曲自在の連結部５３が形成される。この連結部５３を設けたので、建築用断熱材４１を根太間に配するために本体部分４２を山状にしたとき、生ずる歪みを分散させることができ、この部分が破断するのを防ぐことができる。上記の上面溝５１や下面溝５２、それらから形成される連結部５３は、本体部分４２のどの位置に設けてもよい。その中でも、中央部付近に設けると、建築用断熱材４１を根太間に配するために本体部分４２を山状にしたとき、対称性を有する山を形成するので、この建築用断熱材４１を根太間に収納しやすくなる。
【００５９】
また、上面溝５１と下面溝５２との間に設けられる上記連結部５３は、この連結部５３が容易に破断しない程度の厚さを有すればよい。
【００６０】
上記上面溝５１及び下面溝５２の本数は、特に限定されるものではないが、それぞれ１〜４本が好ましい。また、上面溝５１と下面溝５２とは同じ本数を設けてもよく、異なる本数を設けてもよい。上面溝５１又は下面溝５２の本数がそれぞれ５本以上となると、連結部５３自体の有するバネ状の性質が強くなり、この建設用断熱材を根太間に配しても、少しの力で根太間からこの建築用断熱材が外れやすくなるからである。
【００６１】
上面溝５１及び下面溝５２をそれぞれ複数本設ける場合は、上面溝５１及び下面溝５２を、それぞれ互い違いに配置すればよい。
【００６２】
また、上面溝５１及び下面溝５２の溝幅は、特に限定されるものではないが、建築用断熱材４１が両側面より力を受けて、溝底部分が収縮しうる量の範囲で設けることができる。溝底部分が収縮する量の範囲を越えて溝幅を設けると、加えられる圧力によっては、溝底部分に過負荷がかかり、圧壊する場合が生じることがあるからである。
【００６３】
上面溝５１及び下面溝５２の本数及び配置の好ましい建築用断熱材１の例として、図１０及び図１１示すように、本体部分４２の中央部付近の上面に上面溝５１を２本設け、この２本の上面溝５１にはさまれる部分の下面に下面溝５２を１本設けた建築用断熱材４１があげられる。これは、上面に２本の溝を有し、この２本の溝にはさまれる部分の反対側の下面に１本の溝を有するので、本体部分４２の強度が低下することなく、連結部５３のバネ状の性質を発揮し連結部５３における破断を生じるのを防ぐことができる。
【００６４】
第３の実施形態における建築用断熱材４１には、第２の実施形態に示すような傾斜部３８や切り込み４７を設けることができる。このうち、切り込み４７を設けた場合において、建築用断熱材４１を上記床構造に設置する場合は、図１２に示すように、切り込み４７の上面側であって本体部分４２の上面側縁部である可動部４８を、切り込み４７の底部と本体部分４２の上面との間に形成される可動部連結部４９を支点として回動させる。そして、この可動部連結部４９を根太５の上部にのせれば、残りの本体部分４２は、根太５と衝突する部分が減少し、または無くなるので、側面突出部４３を容易に根太５の下部に挿入することができる。側面突出部４３を容易に根太５の下部に挿入後、本体部分４２の上から力を加えて本体部分４２を平らにすると、上記可動部連結部４９を図１３に示すように、元の状態に戻すことができ、建築用断熱材４１を上記床構造に設置することができる。
【００６５】
建築用断熱材４１を上記床構造に設置したとき、側面突出部４３の外側面と、隣接する側部断熱部材４１’、４１”の側面突出部４３’、４３”の外側面は、互いに突き合うので、図１３に示すように、根太５の下部に断熱材を配置することができる。
【００６６】
【発明の効果】
この第１の発明によれば、断熱部材を２〜３個に分けたので、根太の下部及び大引きの上部の両方に断熱材を配することが可能となる。このため、根太より厚い断熱部材を床下に設置する必要があるときでも、根太の下部に容易に断熱材を配することができる。したがって、現場においての作業を容易にすることができ、また、断熱材を床に一様に配置することが可能となるので、断熱効果の低下を防止することができる。
【００６７】
また、この第２又は第３の発明によれば、所定の溝を設けた１つの断熱部材を用いるので、根太の下部及び大引きの上部の両方に断熱材を配することが可能となる。このため、根太より厚い断熱部材を床下に設置する必要があるときでも、根太の下部に容易に断熱材を配することができる。したがって、現場においての作業を容易にすることができ、また、断熱材を床に一様に配置することが可能となるので、断熱効果の低下を防止することができる。
【図面の簡単な説明】
【図１】建築用断熱材の第１の実施形態の例を示す斜視図
【図２】図１の建築用断熱材に連結フィルムを設けた状態を示す斜視図
【図３】図２の建築用断熱材に防護フィルムを積層した状態を示す斜視図
【図４】（ａ）図１の建築用断熱材を床構造に設置した状態を示す大引きと平行な方向からみた断面図
（ｂ）（ａ）の根太間がより狭い状態を示す断面図
【図５】図１の建築用断熱材を床構造に設置した状態を示す根太と平行な方向からみた断面図
【図６】図２の建築用断熱材を床構造に設置した状態を示す大引きと平行な方向からみた断面図
【図７】建築用断熱材の第２の実施形態の例を示す斜視図
【図８】図７の建築用断熱材の正面図
【図９】（ａ）図７の建築用断熱材を床構造に設置した状態を示す大引きと平行な方向からみた断面図
（ｂ）（ａ）の根太間がより狭い状態を示す断面図
【図１０】建築用断熱材の第３の実施形態の例を示す斜視図
【図１１】図１０の建築用断熱材の正面図
【図１２】図１０の建築用断熱材を床構造に設置する様子を示す断面図
【図１３】図１０の建築用断熱材を床構造に設置した状態を示す大引きと平行な方向からみた断面図
【図１４】従来の建築用断熱材を床構造に設置した状態を示す斜視図
【符号の説明】
１、１’、１”  側部断熱部材
２  中間断熱部材
３  連結フィルム
４  防護フィルム
５  根太
６  大引き
１１  本体部分
１２、１２’、１２”  側面突出部
１３、１３’、１３”  端面突出部
１４  中間断面部材嵌入側面
２１  本体部分
２２  端面突出部
２３  上面溝
２４  下面溝
３１、３１’、３１”  建築用断熱材
３２  本体部分
３３、３３’、３３”  側面突出部
３４  端面突出部
３５  上面溝
３６  下面溝
３７  連結部
３８  傾斜部
３９  本体部分側面部材
４０  溝部
４１、４１’、４１”  建築用断熱材
４２  本体部分
４３、４３’、４３”  側面突出部
４４  端面突出部
４７  切り込み
４８  可動部
４９  可動部連結部
５１  上面溝
５２  下面溝
５３  連結部
６１  断熱材
６２  大引き
６３  根太
６４  切り込み
【図１】
0003748311.tif 000002
【図２】
0003748311.tif 000003
【図３】
0003748311.tif 000004
【図４】
0003748311.tif 000005
【図５】
0003748311.tif 000006
【図６】
0003748311.tif 000007
【図７】
0003748311.tif 000008
【図８】
0003748311.tif 000009
【図９】
0003748311.tif 000010
【図１０】
0003748311.tif 000011
【図１１】
0003748311.tif 000012
【図１２】
0003748311.tif 000013
【図１３】
0003748311.tif 000014
【図１４】
0003748311.tif 000015